(57)【要約】【課題】  表示位置、表示色の色彩、輝度レベルを自由に変更できるとともに、表示位置を簡単かつ迅速に移動させることができるオンスクリーン表示装置を提供する。【解決手段】  映像信号に重畳させて時計やチャンネルなどの表示をオンスクリーン表示する際、リモコン装置９からのリモコン信号を受けてマイコン１のＯＳＤ位置制御部２、ＯＳＤ色制御部３、ＯＳＤ輝度制御部４によって表示位置、表示色、輝度を任意に変更可能である。これにより、時計やチャンネルなどの表示位置をユーザにとって見やすい最適な位置に表示することができるとともに、その表示色、輝度を見易く調整することができる。表示位置の変更に際しては、リモコン装置９の番号キーを操作することで予め番号キーに割り当てた画面２０のエリアにキャラクタの表示位置を移動させる。この後、リモコン装置のアップダウンキーとカーソルキーによって調整することで、短時間でキャラクタの表示位置を変えることができる。【選択図】      図１
2005197991.tif 000002
【特許請求の範囲】
【請求項１】
数字、文字あるいは記号などキャラクタ信号を映像信号に重畳させて画面上にオンスクリーン表示させるオンスクリーン表示装置において、前記画面上に表示されるキャラクタの表示位置を任意位置に変移させる表示位置制御手段と、前記キャラクタの表示色を変更させる表示色制御手段を設けたことを特徴とするオンスクリーン表示装置。
【請求項２】
前記画面上に表示されるキャラクタの輝度レベルを変更させる輝度制御手段を設けたことを特徴とする請求項１記載のオンスクリーン表示装置。
【請求項３】
前記画面上に表示されるキャラクタの表示状態を変更する際、前記画面に選択メニューを表示するとともに、この選択操作に係るリモコン信号を発するリモコン装置を設け、このリモコン装置からの発信信号を判別する判別手段と、この判別手段からの発信信号を受けて前記各制御手段に選択信号を出力する指示手段を設けたことを特徴とする請求項１又は２項に記載のオンスクリーン表示装置。
【請求項４】
前記リモコン装置が、メニューキー及びメニュー選択キーを含んで電気機器の各種調整／設定を実行するキー入力手段を備えるとともに、前記画面上に表示されるキャラクタの表示位置変更時に予め画面に設定された複数のエリアに対応してその各エリアに前記キャラクタを移動するように割り当てられた複数の番号キーと、この番号キーによって移動した表示位置を上下左右に調整して任意位置に移動させる調整操作キーを設けたことを特徴とする請求項３項に記載のオンスクリーン表示装置。
【発明の詳細な説明】
【技術分野】
【０００１】
本発明は、数字、文字あるいは記号などのキャラクタ信号を映像信号に重畳して画面上にオンスクリーン表示させるオンスクリーン表示装置に関する。
【背景技術】
【０００２】
従来、テレビジョン受像機や映像記憶／再生装置の機能としてオンスクリーン機能がある。これは、本来の映像信号に文字や記号等のキャラクタ信号を重畳し表示させるものである。
【０００３】
ところで、画面上に表示したキャラクタは、映像に重畳させることから、背景となる映像によってキャラクタが見にくくなる場合がある。このため、例えば、特許文献１では、キャラクタの位置を見やすい位置に調整できるように、画面上に重畳したキャラクタを表示位置変移手段によって画面上における水平方向に全体的に変移せることが可能なオンスクリーン表示装置が開示され、また、特許文献２には、リモコン装置などによるキー操作によって、映像信号に重畳したキャラクタのサイズ及び位置を任意に変更可能としたオンスクリーン制御装置が開示されている。さらに、映像信号とキャラクタの色彩が近い場合、背景となる映像とキャラクタが干渉し、キャラクタが読み取りにくくなることから、特許文献３では、アドレスに対応する色コードの色をディスプレイに表示するとともに、このレジスタの設定値を書き換え可能とすることにより、画面上に重畳したキャラクタ信号の表示色を任意の色彩に変更することができるディスプレイ装置が開示され、また、特許文献４には、映像情報を調整する時にキャラクタ信号の表示を暗くする、又は映像情報の表示状態に追従させて文字情報を変化させるようにする構成することによってキャラクタ信号の輝度レベルを変更可能とした画像表示装置が開示されている。
【０００４】
【特許文献１】特開平８−１４９３８８号公報
【特許文献２】特開平７−１６２７５０号公報
【特許文献３】特開平７−３２２０９４号公報
【特許文献４】特開平６−２０８３６７号公報
【発明の開示】
【発明が解決しようとする課題】
【０００５】
このように、特許文献１及び特許文献２では、キャラクタの表示位置を見やすい位置に移動できるが、その表示色及び輝度は変更することができない。また、特許文献３及び特許文献４はキャラクタの表示色又は輝度を変更することができるものの映像に重畳した文字や数字の表示位置を変更することができない。しかも、文字や数字などのキャラクタの表示位置をユーザにとって見やすい位置に変えたとしも、その表示位置の映像によっては背景となる映像と文字や数字の色調が同系色となり、文字や数字が判読しにくくなる。また、映像に重畳したキャラクタの表示位置を変更する場合、通常、テレビジョン受像機あるいは映像記憶／再生装置の本体キーあるいは付属のリモコン装置の十字キーなどにより行うが、キャラクタ信号の表示位置を比較的大きく移動させる場合、キャラクタ信号が所望の位置まで移動し終わるまで、キーを押し続けることになるから、操作時間が長くなり操作性が悪くなるといった課題を有していた。
【０００６】
本発明は、上記課題に鑑みてなされたもので、映像に重畳した文字や数字の表示位置及びその表示色の色彩、輝度レベルを自由に変更させて重畳した文字や数字の判読が容易であるとともに、文字や数字の表示位置を簡単かつ迅速に移動させることができるオンスクリーン表示装置を提供することを目的とする。
【課題を解決するための手段】
【０００７】
本発明の請求項１のオンスクリーン表示装置は、数字、文字あるいは記号などキャラクタ信号を映像信号に重畳させて画面上にオンスクリーン表示させるオンスクリーン表示装置において、前記画面上に表示されるキャラクタの表示位置を任意位置に変移させる表示位置制御手段と、前記キャラクタの表示色を変更させる表示色制御手段を設けたことを特徴とする。
【０００８】
請求項１の構成により、位置制御手段によってオンスクリーン表示の位置をユーザによって最適な位置に変更できるとともに、表示色制御手段によって、オンスクリーン表示の表示色を適宜変化させることにより背景となる映像とオンスクリーン表示の表示色とが干渉しない色合いに調整できるようになる。
【０００９】
本発明の請求項２のオンスクリーン表示装置は、請求項１記載のオンスクリーン表示装置において、前記画面上に表示されるキャラクタの輝度レベルを変更させる輝度制御手段を設けたことを特徴とする。
【００１０】
請求項２の構成により、輝度制御手段によってオンスクリーン表示の輝度を適宜変化させることにより背景となる映像に対するオンスクリーン表示を見やすく調整できるようになる。
【００１１】
本発明の請求項３のオンスクリーン表示装置は、請求項１又は２に記載のオンスクリーン表示装置において、前記画面上に表示されるキャラクタの表示状態を変更する際、前記画面に選択メニューを表示するとともに、この選択操作に係るリモコン信号を発するリモコン装置を設け、このリモコン装置からの発信信号を判別する判別手段と、この判別手段からの発信信号を受けて前記各制御手段に選択信号を出力する指示手段を設けたことを特徴とする。
【００１２】
請求項３の構成により、リモコン装置によってオンスクリーン表示の表示位置、表示色、輝度の変更を操作すると、リモコン装置からの発信信号を判別手段で受信し、指示手段から選択信号が各調整項目に対応した位置制御手段、表示色表示手段、輝度制御手段に出力される。その各制御部のデータに従ってユーザが設定した表示位置、表示色、輝度にてオンスクリーン表示される。
【００１３】
本発明の請求項４のオンスクリーン表示装置は、請求項３項に記載のオンスクリーン表示装置において、前記リモコン装置が、メニューキー及びメニュー選択キーを含んで電気機器の各種調整／設定を実行するキー入力手段を備えるとともに、前記画面上に表示されるキャラクタの表示位置変更時に予め画面に設定された複数のエリアに対応してその各エリアに前記キャラクタを移動するように割り当てられた複数の番号キーと、この番号キーによって移動した表示位置を上下左右に調整して任意位置に移動させる調整操作キーを設けたことを特徴とする。
【００１４】
請求項４の構成により、表示位置の変更時にエリアに対応する番号キーを操作すると表示位置が該当するエリアに表示される。この後、調整操作キーで表示位置を調整することにより、表示位置を任意の位置に変更可能となる。
【発明の効果】
【００１５】
本発明の請求項１のオンスクリーン表示装置によれば、数字、文字あるいは記号などキャラクタ信号を映像信号に重畳させて画面上にオンスクリーン表示させるオンスクリーン表示装置において、前記画面上に表示されるキャラクタの表示位置を任意位置に変移させる表示位置制御手段と、前記キャラクタの表示色を変更させる表示色制御手段を設けたものであるから、オンスクリーン表示されるキャラクタの位置をユーザによって最適な位置に変更できるとともに、背景となる映像にオンスクリーン表示されるキャラクタが見やすくように調整することができる。
【００１６】
本発明の請求項２のオンスクリーン表示装置によれば、請求項１記載のオンスクリーン表示装置において、前記画面上に表示されるキャラクタの輝度レベルを変更させる輝度制御手段を設けたものであるから、背景となる映像に対するキャラクタを見やすく調整することができる。
【００１７】
本発明の請求項３のオンスクリーン表示装置によれば、請求項１又は２項に記載のオンスクリーン表示装置において、前記画面上に表示されるキャラクタの表示状態を変更する際、前記画面に選択メニューを表示するとともに、この選択操作に係るリモコン信号を発するリモコン装置を設け、このリモコン装置からの発信信号を判別する判別手段と、この判別手段からの発信信号を受けて前記各制御手段に選択信号を出力する指示手段を設けたものであるから、リモコン装置によってオンスクリーン表示の表示位置、表示色、輝度を簡単に変更することができる。
【００１８】
本発明の請求項４のオンスクリーン表示装置によれば、請求項３項に記載のオンスクリーン表示装置において、前記リモコン装置が、メニューキー及びメニュー選択キーを含んで電気機器の各種調整／設定を実行するキー入力手段を備えるとともに、前記画面上に表示されるキャラクタの表示位置変更時に予め画面に設定された複数のエリアに対応してその各エリアに前記キャラクタを移動するように割り当てられた複数の番号キーと、この番号キーによって移動した表示位置を上下左右に調整して任意位置に移動させる調整操作キーを設けたものであるから、表示位置を変更する際、エリアに対応する番号キーを操作することにより、表示位置が該当するエリアに表示され、この後、調整操作キーで表示位置を調整することにより、表示位置を任意の位置に変更可能となり、キャラクタの表示位置を大幅に移動させる場合などにおいて、操作時間を短縮化できるとともに、移動操作も簡略化することができる。
【発明を実施するための最良の形態】
【００１９】
以下、添付図面を参酌しながら、本発明を実施するための最良の形態としての実施例を説明する。
【００２０】
図１は本発明の一実施例のブロック図である。同図において、１は数字、文字あるいは記号などキャラクタ信号を映像信号に重畳させてブラウン管あるいはＬＣＤなどの画面２０上にオンスクリーン表示させるオンスクリーン表示装置を制御するマイコンである。このマイコン１は、キャラクタ信号の位置を画面２０上の任意の位置に変移させる表示位置制御手段としてのオンスクリーンディスプレー（以下、ＯＳＤと称する）位置制御部２、キャラクタの表示色をそれぞれ個別に任意の色彩に変更させる表示色制御手段としてのＯＳＤ色制御部３、キャラクタの輝度レベルを変更させる輝度制御手段としてのＯＳＤ輝度制御部４を有している。これらＯＳＤ位置制御部２、ＯＳＤ色制御部３、ＯＳＤ輝度制御部４のデータは書き換え可能なＥＰＰＲＯＭなどのメモリ５に保持され、そのメモリ５に保持したそれぞれデータを前記各制御部２〜４にフィードバックし、その各制御部２〜４のデータに従ってＯＳＤ表示部６によって数字、文字等のキャラクタ信号を発生する。このキャラクタ信号は、ＣＨＲＯＭＡＩＣなどの映像信号処理回路７に出力され、映像信号処理回路７で生成した映像信号に重畳してキャラクタ信号を表示画面２０にオンスクリーン表示するように構成している。また、マイコン１には、リモコン装置９からの発信信号を受信し、前記リモコン装置９のリモコン信号を判別する判別手段１０と、該判別手段１０から出力された前記リモコン装置９の選択信号をＯＳＤ位置制御部２、ＯＳＤ色制御部３、ＯＳＤ輝度制御部４へと出力する指示手段１１が備えられている。
【００２１】
前記リモコン装置９は、テレビジョン受像機や映像記憶／再生装置を操作するものであり、キー入力により、チャンネル選択や入力切換え等を行うとともに、テレビジョン受像機あるいは映像記憶／再生装置受像機の各種の調整や設定を行う。またこれら各種の調整や設定項目は画面２０上にメニュー表示され、メニュー画面を見ながら希望する項目を選択し、各種の調整や設定を実行可能にしているものであり、リモコン装置９には図２に示すように、例えばテレビ  ジョン受像機本体に電源を投入する電源キー２５、チャンネル選択用の番号キー２６、チャンネルをアップダウンで選択したり、表示されたメニューから所定の調整／設定を選択するための上下一対のアップダウンキー２７，２８、音量を調整する左右一対のカーソルキー２９，３０、メニュー画面を表示するためのメニューキー３１及び決定キー３３、オンスクリーンの各選択項目を表示させるＯＳＤ文字キー３４などが設けられている。なお、使用頻度の高いアップダウンキー２７，２８とカーソルキー２９，３０を調整操作キーとし、リモコン装置９のほぼ中央に十字型に配列されている。
【００２２】
次に、図３〜図１１を参照して本発明のオンスクリーンメニューの操作装置を説明する。図３はメニューキー３１を操作したときに表示されるメニュー画面の一例を示すもので、メニューキー３１が操作されると、画面２０には、「映像設定」「音声設定」「チャンネル設定」「ＯＳＤ表示設定」の操作項目が操作メニュー４０として表示されるとともに、その表示メニュー４０の下部には操作方法を案内するガイド表示４１が表示される。なお、選択した項目は、背景が変わり、他の項目と区別されることによりユーザが認識できるようになっており、図３においては、ＯＳＤ表示設定を選択した状態を示している。
【００２３】
ここでユーザが上下のアップダウンキー２７，２８を操作すると、順次選択項目が上下方向に移動して「ＯＳＤ表示設定」を選択し、決定キー３３を操作することにより、図４に示すＯＳＤメニュー画面となる。なお、リモコン装置９のＯＳＤ文字キー３４を操作することによってもＯＳＤ選択メニューへと移行することも可能である。
【００２４】
ＯＳＤ選択メニューでは画面２０に「調整する項目」「表示する／しないの設定」「表示色、輝度の設定」「表示位置の設定」の操作項目が操作メニュー５０として表示されるとともに、その上部に各調整項目に対応するＯＳＤ表示５１が表示され、表示メニュー４０の下部には操作方法を案内するガイド表示４１が表示される。ＯＳＤ表示５１は画面２０の左上に時計表示５１Ａ、画面２０の右上にチャンネル表示部５１Ｂ、時計表示５１Ａの下部にデッキの再生、停止、早送り等の動作表示５１Ｃ、画面２０の右下にデッキのカウンタ表示５１Ｄが表示され、この位置に対応した各種情報が画面２０にオンスクリーン表示されることになる。なお、これらの各表示５１Ａ〜５１Ｄは番号付けされ、１が時計表示５１Ａ、２がチャンネル表示部５１Ｂ、３が動作表示５１Ｃ、４がカウンタ表示５１Ｄに設定されている。また、ＯＳＤメニュー画面においても操作メニュー５０の下部に操作方法を案内するガイド表示４１が表示される。このＯＳＤ選択メニューにおいて画面２０に表示される各表示５１Ａ〜５１Ｄの設定を行う。まず、アップダウンキー２７，２８によって「調整する項目」にカーソルを合わせ、決定キー３３を操作した後、設定したい項目を選択する。なお、選択時において、カーソルを合わせた項目の背景が変わり、視覚的に選択項目が判別できるようになっている。こうして、「調整する項目」を選択した後、カーソルキー２９，３０により、オンスクリーン表示される「時計表示」「チャンネル表示部」「動作表示」「カウンタ表示」へと移動し、選択したい項目を設定することができる。なお、「時計表示」「チャンネル表示部」「動作表示」「カウンタ表示」は１〜４に番号付けされているから、番号キー２６によって選択した項目を直接指定することもできる。すなわち、１の番号キー２６で「時計表示」、２の番号キー２６で「チャンネル表示部」、３の番号キー２６で「動作表示」、４が番号キー２６で「カウンタ表示」を設定することができる。こうして「時計表示」「チャンネル表示部」「動作表示」「カウンタ表示」のいずれかを選択（図４では「時計表示」を選択した状態を示している）した後、決定キー３３を操作し、その選択した表示の設定項目を設定する。設定項目は、オンスクリーンを表示する／しない、輝度、表示色、表示位置であり、オンスクリーンを表示する／しないの設定するには、図６に示すように、アップダウンキー２７，２８によって「表示する／しないの設定」に項目にカーソルを合わせ決定キー３３で決定した後、図７に示すように、カーソルキー２９，３０により表示する／しないのいずれかを選択する。図７では「しない」を選択した状態を示しており、「しない」に設定すると、ＯＳＤ表示５１の対応する箇所（図７においては、時計表示５１Ａ）の縁取りが薄くなる。
【００２５】
オンスクリーン表示の表示色と輝度を設定するには、図８に示すように、アップダウンキー２７，２８によって「表示色、輝度の設定」にカーソルを合わせ、決定キー３３で決定した後、アップダウンキー２７，２８によって「輝度」のカーソルを合わせ、カーソルキー２９，３０により輝度レベルを決定する。このとき、カーソルキー２９，３０の調整操作に対応して「輝度」の項目に表示されるバー表示５５が変化し、輝度レベルが視覚的に確認できるようになっている。表示色の設定は、図９に示すように、輝度と同様な手順でアップダウンキー２７，２８によって「Ｒ」「Ｇ」「Ｂ」のいずれか項目に合わせ、「Ｒ」「Ｇ」「Ｂ」の各項目のバー表示５６，５７，５８を確認しながらカーソルキー２９，３０によって各項目の色レベルを設定する。
【００２６】
オンスクリーン表示の表示位置を設定するには、図１０に示すように、アップダウンキー２７，２８によって「表示位置の設定」にカーソルを合わせ、決定キー３３で決定した後、アップダウンキー２７，２８とカーソルキー２９，３０によって選択した表示項目の表示位置を上下左右に移動する。これにより、選択した表示項目、例えば、時計表示５１Ａの表示位置を任意位置に調整することができる。なお、前述したように、表示位置は予め画面２０の所定位置に設定され、時計表示５１Ａにあっては、画面２０の左上に設定されている。その位置を大幅に移動した場合、１〜９の番号キー２６が９分割したエリア６０Ａ〜６０Ｉに割り当てられている。そして、１の番号キー２６を操作するとキャラクタの表示位置がエリア６０Ａ、２の番号キー２６を操作するとキャラクタの表示位置がエリア６０Ｂに切換わり、以後、３、４、５の番号キー２６を操作すればエリア６０Ｃ、エリア６０Ｄ、エリア６０Ｅへと順次、切り換る。したがって、９の番号キー２６を押せば例えば、初期の時計表示５１Ａの表示位置を画面２０の右下へと瞬時に移動することができる。この後、アップダウンキー２７，２８とカーソルキー２９，３０によって時計表示５１Ａの表示位置を任意の位置に調整することができる。
【００２７】
このようにして、リモコン装置９を操作して画面２０に表示される時計、チャンネル、デッキなどの再生、停止、早送り等の動作表示及びカウンタ表示の各項目の表示について設定すると、このリモコン装置９からの発信信号を判別手段１０で受信し、指示手段１１から各調整項目に対応した選択信号がＯＳＤ位置制御部２、ＯＳＤ色制御部３、ＯＳＤ輝度制御部４に出力される。これらＯＳＤ位置制御部２、ＯＳＤ色制御部３、ＯＳＤ輝度制御部４のデータはメモリ５に保持され、そのメモリ５に保持したそれぞれデータを前記各制御部２〜４にフィードバックし、その各制御部２〜４のデータに従ってＯＳＤ表示部６で数字、文字等のキャラクタ信号を生成し、このキャラクタ信号を映像信号処理回路７に出力して映像信号に重畳してキャラクタ信号を表示画面２０にオンスクリーン表示させる。
【００２８】
以上のように、本実施例においては、映像信号に重畳させて「時計表示」「チャンネル表示部」「動作表示」「カウンタ表示」をオンスクリーン表示する際、それぞれを表示するかしないかを個別に設定できるとともに、ＯＳＤ位置制御部２によって、文字や数字あるいは記号などのキャラクタの表示位置をユーザにとって見やすい最適な位置に表示することができるとともに、ＯＳＤ色制御部３によってキャラクタの表示色を任意の表示色に変更でき、しかも、その表示輝度をＯＳＤ輝度制御部４によって変更できるから、背景となる映像に表示されるキャラクタを極めて見易くすることができる。
【００２９】
また、キャラクタの表示位置を変更する際、リモコン装置９の番号キー２６を操作することで予め番号キー２６に割り当てた画面２０のエリア６０Ａ〜６０Ｉにキャラクタの表示位置を瞬時に移動させることができ、その後、アップダウンキー２７，２８とカーソルキー２９，３０によって調整することで、キャラクタの表示位置を大幅に移動させる場合などにおいて、操作時間を短縮化できるとともに、移動操作も簡略化することができる。
【００３０】
以上、本発明の実施例を詳述したが、本発明は前記実施例に限定されるものではなく、本発明の要旨の範囲内で種々の変形実施が可能である。例えば、オンスクリーン表示するキャラクタの表示内容や操作するリモコン装置のキー配列やキーの種類などは適宜選定すればよい。
【図面の簡単な説明】
【００３１】
【図１】本発明の実施例を示すオンスクリーン装置のブロック図である。
【図２】同上、リモコン送信機の正面図である。
【図３】同上、オンスクリーンメニューを示す説明図である。
【図４】同上、ＯＳＤ表示の設定画面を示す説明図である。
【図５】同上、調整項目の選択画面を示す説明図である。
【図６】同上、表示する／しないの選択画面を示す説明図である。
【図７】同上、表示しないを選択した状態を示す説明図である。
【図８】同上、表示色、輝度を選択した状態を示す説明図である。
【図９】同上、表示色の選択画面を示す説明図である。
【図１０】同上、表示位置の選択画面を示す説明図である。
【図１１】同上、番号キーにより表示位置の設定状態を示す説明図である。
【符号の説明】
【００３２】
２  ＯＳＤ位置制御部（表示位置制御手段）
３  ＯＳＤ色制御部（表示色制御手段）
４  ＯＳＤ輝度制御部（輝度制御手段）
９  リモコン装置
１０  判定部
１１  指示部
２６  番号キー
２７，２８  アップダウンキー（調整操作キー）
２９，３０  カーソルキー（調整操作キー）
３１  メニューキー
３３  設定キー
【図１】
2005197991.tif 000003
【図２】
2005197991.tif 000004
【図３】
2005197991.tif 000005
【図４】
2005197991.tif 000006
【図５】
2005197991.tif 000007
【図６】
2005197991.tif 000008
【図７】
2005197991.tif 000009
【図８】
2005197991.tif 000010
【図９】
2005197991.tif 000011
【図１０】
2005197991.tif 000012
【図１１】
2005197991.tif 000013